(57)【要約】【課題】  装飾用ボックスがブック型のようにコンパクトとなり、持ち運びが楽で移動を簡単に行うようにする。【解決手段】  一定の幅と高さを有する背面本体７と、この背面本体７に対して左右にそれぞれ一定の幅と奥行きと高さを有し、かつ、開閉可能に設けられた左、右本体９、１１と、からなる装飾用ボックス３と、下部に電源４７、基板４５および発光部４９を備えた駆動部を設け、この駆動部の上部に少なくとも多数の光ファイバ３７を有した装飾部５とからなり、前記装飾用ボックス３における背面本体７の下部裏側と前記装飾部５における駆動部の背面外側とが着脱手段５７により着脱可能に設けられていることを特徴とする。【選択図】図１
2006088432.tif 000002
【特許請求の範囲】
【請求項１】
一定の幅と高さを有する背面本体と、この背面本体に対して左右にそれぞれ一定の幅と奥行きと高さを有し、かつ、開閉可能に設けられた左、右本体と、からなる装飾用ボックスと、下部に電源、基板および発光部を備えた駆動部を設け、この駆動部の上部に少なくとも多数の光ファイバを有した装飾部とからなり、前記装飾用ボックスにおける背面本体下部裏側と前記装飾部における駆動部の背面外側とが着脱手段により着脱可能に設けられていることを特徴とする装飾装置。
【請求項２】
前記左、右本体の外側の少なくともいずれかに写真入れ用収納部を設けてなることを特徴とする請求項１記載の装飾装置。
【請求項３】
前記左、右本体の内側の両側に写真入れ用収納部を備えたフオトスタンドを嵌め込み可能に設けてなることを特徴とする請求項１記載の装飾装置。
【発明の詳細な説明】
【技術分野】
【０００１】
この発明は、装飾装置に係り、さらに詳しくは、クリツマスツリーだけでなく、四季に応じたツリーで、しかも、イルミネーションの見栄えを向上させた装飾装置に関する。
【背景技術】
【０００２】
従来の装飾装置としての例えば装飾用ツリー装置としては、例えば樹幹内にモータ、連結板、カラー・ホイール、光源及び固定筒などの部材が設けられている。そして、前記樹幹の下端部に固定座を固結して床面に立たせ、樹幹の周囲には多数の枝が分岐されている。前記固定筒は、その筒体上端縁を拡径してフランジ部に形成され、筒体を樹幹上端開口より挿入してフランジ部を開口周縁が支承して定位させ、筒体内に軸沿い上向きに鉛線支柱を固設して、支柱外周囲に多数の光ファイバ束を周設し、且つそれら光ファイバ束から延伸して枝にも光ファイバ束を設けて、それぞれに複数のランプを連結して発光させるものが知られている（特許文献１）。
【０００３】
また、出願人は今までにツリーボックスを折り畳み可能にし、しかも、ツリーボックス内にクリスマスツリー部を収納したものも開発を進めてきている。
【特許文献１】特開２００２−１０９９０６号公報
【発明の開示】
【発明が解決しようとする課題】
【０００４】
ところで、上述した従来の特許文献１に示された装飾用ツリー装置は、ほとんどクリスマスツリーであって、クリスマスの時しか使用されていないと共に持ち運び可能な構造にはなってはいるが、持ち運び易さの面ではまだ不充分であった。
【０００５】
従来のツリーボックスを折り畳み可能にしたものは、上記のものと同様にクリスマスツリーであって、クリスマスの時しか使用されていないと共に立体感を持たせる点でまだ不充分であった。
【０００６】
この発明は上述の課題を解決するためになされたものである。
【課題を解決するための手段】
【０００７】
上記発明が解決しようとする課題を達成するためにこの発明の装飾装置は、一定の幅と高さを有する背面本体と、この背面本体に対して左右にそれぞれ一定の幅と奥行きと高さを有し、かつ、開閉可能に設けられた左、右本体と、からなる装飾用ボックスと、下部に電源、基板および発光部を備えた駆動部を設け、この駆動部の上部に少なくとも多数の光ファイバを有した装飾部とからなり、前記装飾用ボックスにおける背面本体下部裏側と前記装飾部における駆動部の背面外側とが着脱手段により着脱可能に設けられていることを特徴とするものである。
【０００８】
この発明の装飾装置は、前記装飾装置において、前記左、右本体の外側の少なくともいずれかに写真入れ用収納部を設けてなることが好ましい。
【０００９】
この発明の装飾装置は、前記装飾装置において、前記左、右本体の内側の両側に写真入れ用収納部を備えたフオトスタンドを嵌め込み可能に設けてなることが好ましい。
【発明の効果】
【００１０】
以上のごとき課題を解決するための手段の説明から理解されるように、この発明によれば、背面本体と、この背面本体に対して左右にそれぞれ開閉可能に設けられた左、右本体と、からなる装飾用ボックスとなっているから、電源、基板および発光部を備えた駆動部を設けた多数の光ファイバを有した装飾部を装飾用ボックス内に収納せしめることができる。そして、不使用時には背面本体に対して左、右本体が閉められて装飾用ボックスがブック型のようにコンパクトとなり、持ち運びが楽で移動を簡単に行うことができる。
【００１１】
前記装飾用ボックスにおける背面本体下部裏側と前記装飾部における駆動部の背面外側とが着脱手段により着脱可能に設けられているから、背面本体の下部裏側に設けられている前記装飾部を外して、用意された複数別の別の装飾部から選択して、その選択された別の装飾部を背面本体下部裏側に取り付けることができる。したがって、複数の装飾部を用意しておき、その中から１つを選択して背面本体の下部裏側に取り付けることでフオーシーズン用にあったものにすることができ、変化を楽しむことができる。
【発明を実施するための最良の形態】
【００１２】
以下、この発明の実施の形態について図面を参照して詳細に説明する。
【００１３】
図１〜図３を参照するに、装飾装置１は、装飾用ボックス３と装飾部５とからなっている。そして、図２に示したように開かれた状態と、図３に示したように閉められた状態となる。すなわち、不使用時には図３に示したように閉められた状態でブック型の構造となり、持ち運びが楽で移動を容易にでき、例えば本箱などに収納されて保管せしめることができる。また、使用時には図２に示したように開かれた状態で観賞用として例えば机やテーブル上に置かれて観賞することができる。
【００１４】
前記装飾用ボックス３は、一定の幅ｄ１が例えば３５ｍｍを有すると共に高さｈ１が例えば２５７ｍｍを有した背面本体７を備えている。この背面本体７に対して左に一定の幅ｄ２が例えば１／２ｄ１、奥行きが例えばｅ１、高さがｈ１を有した左本体９を備えている。この左本体９は側面部９Ａとこの側面部９Ａの上端で内側に９０°折り曲げられた上面部９Ｂと前記側面部９Ａの下端で内側に９０°折り曲げられた下面部９Ｃと前記側面部９Ａの前端で内側に９０°折り曲げられた正面部９Ｄとが一体化されて構成されている。
【００１５】
さらに、この背面本体７に対して左に一定の幅ｄ３が例えば１／２ｄ１、奥行きが例えばｅ１、高さがｈ１を有した右本体１１を備えている。この右本体１１は側面部１１Ａとこの側面部１１Ａの上端で内側に９０°折り曲げられた上面部１１Ｂと前記側面部１１Ａの下端で内側に９０°折り曲げられた下面部１１Ｃと前記側面部１１Ａの前端で内側に９０°折り曲げられた正面部１１Ｄとが一体化されて構成されている。
【００１６】
前記背面本体７の上、下部と前記左本体９における側面部９Ａの後部の上、下部とがそれぞれ接続されていると共に前記背面本体７の上、下部と前記右本体１１における側面部１１Ａの後部の上、下部とがそれぞれで接続されている。そして、前記背面本体７、左本体９および右本体１１との表面には装飾用の布地が覆われていと共に前記背面本体７に対して左本体９、右本体１１がそれぞれ開閉可能になっている。
【００１７】
前記左本体９における上面部９Ｂ、正面部９Ｄおよび下面部９Ｃの内側と前記右本体１１における上面部１１Ｂ、正面部１１Ｄおよび下面部１１Ｃの内側とには開閉装置としての例えばファスナー１３が取り付けられている。すなわち、左本体９における上面部９Ｂ、正面部９Ｄおよび下面部９Ｃの内側には例えば左ファスナー片１５と右本体１１における上面部１１Ｂ、正面部１１Ｄおよび下面部１１Ｃの内側例えば例えば右ファスナー片１７とスライダー１９とから構成されている。そして、各左ファスナー片１５、右ファスナー片１７はそれぞれ布製の帯状体２１とファスナーエレメント２３とを有し、両左ファスナー片１５、右ファスナー片１７のファスナーエレメント２３は、前記スライダー１９によって、互いに係合および離脱させられるようになっている。係合状態（閉まった状態）が図３に示され、離脱状態（開いた状態）が図１および図２に示されている。
【００１８】
例えば前記左本体７における前後、左右および上下のほぼ中央部には例えば楕円形状の窓部２５が設けられており、この窓部２５の裏側における前記左本体９には各種の写真２７を挿入（収納）しこの写真２７を押さえる押さえ蓋２９が設けられている。
【００１９】
上記構成により、前記背面本体７に対して左本体９、右本体１１はそれぞれ回動されるようになっているから、図１および図２に示した開いた状態から、図３に示したごとく閉じられる。そのときの開閉はファスナー１３のスライダー１９を、両左ファスナー片１５、右ファスナー片１７のファスナーエレメント２３に互いに係合および離脱させることで開閉されることになる。
【００２０】
而して、ブック型の構造となり、持ち運びが楽で移動を容易にでき、例えば本箱などに収納されて保管せしめることができる。
【００２１】
前記装飾部５は、図１および図２に示されているように、例えば正月に飾る門松の飾り装置３１であって、この飾り装置３１の下部には詳細を後述する電源、基板および発光部を備えた駆動部を設けたボックス３３が設けられいていると共に、このボックス３３の上部には３本の竹に似せた透明なプラスチックからなるパイプ３５が立設されている。しかも、このパイプ３５の上端は斜めにカットされている。そして、各パイプ３５内には多数の光ファイバ３７が挿入されている。この各パイプ３５の周囲には花などの形をした装飾飾り３９が配置されている。
【００２２】
前記ボックス３３内には図４に示されているように、奥側図４において右側の上部には例えば半円弧形状の枠４１が上方向へ延びて立設されている。この枠４１には中空形状の筒体４３が設けられている。この筒体４３内には前記３本のパイプ３５の下部が設けられいて、この各パイプ３５内には上下方向へ延伸された多数の光ファイバ３７の下端が装着されている。しかも、この多数の光ファイバ３７の下端は前記筒体４３の下部に設けられた基板４５に接続されている。また、前記ボックス３３内の例えば前側図４において左側には電源としての電池４７が収納されている。前記基板４５の下方部には発光部としての例えばＬＥＤ回路４９が備えられている。このＬＥＤ回路４９の下部には前記多数の光ファイバ３７の色を変える切換スイッチ部５１が備えられている。前記図１および図２に示されているように、前記装飾飾り３９内にはスイッチ用ポール５３が立設されていて、このスイッチ用ポール５３の先端にはタッチ用スイッチ５５が備えられている。このタッチ用スイッチ５５は前記電池４７に接続されている。
【００２３】
図１に示されているように、前記背面本体７における下部裏側には着脱手段５７としての例えば一方のマグネット５９が設けられていると共に前記図１および図４に示されているように前記ボックス３３の背面外側図４において右側には着脱手段５７としての例えば他方のマグネット６１が設けられている。
【００２４】
上記構成により、図２示されているように装飾用ボックス３を開かせた状態で前記背面本体７における下部裏側に設けられている一方のマグネット５９に、装飾部５におけるボックス３３の外側に設けられている一方のマグネット６１を近づけると、マグネット５９とマグネット６１とがくっつき背面本体７に装飾部５が固定されることになる。
【００２５】
また、前記背面本体７における下部裏側に設けられている一方のマグネット５９から装飾部５におけるボックス３３の外側に設けられている一方のマグネット６１を外すことことで、図１に示したように装飾用ボックス３から装飾部５が分離されることになる。
【００２６】
図１および図２に示した状態でタッチ用スイッチ５５をタッチすると、例えば電池４７でＬＥＤ回路４９が駆動され、基板４５を介して多数の光ファイバ３７が通電される。その結果、多数の光ファイバ３７の先端が発光されることになる。例えば切換スイッチ部５１には各種の色を備えたパターンが用意されており、例えば飾り装置３１の例えば例えば正月に飾る門松における多数の光ファイバ３７の先端が例えば青、白色に発光し、映し出すことができる。その結果、正月に飾る門松における多数の光ファイバ３７が発光して見栄えのよいものとすることができる。
【００２７】
さらに、ボックス３３の底面と左本体９の下面部９Ｃと右本体１１の下面部１１Ｃとの３面で例えば床面に接触して設置されているので安定感がある。
【００２８】
図１に示されているように、左本体９における側面部９Ａの裏側に写真２７を挿入し押さえ蓋２９で押さえると、写真２７が左本体９における側面部９Ａの前側の表面に顕出されて装飾装置１としてさらに装飾効果を発揮させることができる。
【００２９】
図５には図２に代わる他の実施の形態が示されている。図５において図２における部品と同じ部品には同一の付号を付して重複する説明を省略する。
【００３０】
図５において、前記装飾部５が上述した正月用の門松を装飾飾りの代わりにクリスマスツリーをイメージした多数の光ファイバ３７を前記ボックス３３の上部に筒体６２を立設せしめ、この多数の光ファイバ３７を装着したものであり、タッチ用スイッチ６３を前記ボックス３３の上部に取り付けたものである。それ以外の構成は上述した例と同じである。
【００３１】
上記構成により、タッチ用スイッチ６３をタッチすると、例えば電池４７でＬＥＤ回路４９が駆動され、基板４５を介して多数の光ファイバ３７が通電される。その結果、多数の光ファイバ３７の先端が発光されることになる。例えば切換スイッチ部５１にはフオーシーズン用のパターンを用意しておくことにより、例えば冬用のクリスマスツリーとして多数の光ファイバ３７の先端が例えば青、白色に発光し、クリスマスツリーを映し出すことができる。
【００３２】
また、例えば春用の桜として多数の光ファイバ３７の先端が例えばピンク色に発光し、桜を映し出すことができ、その結果、桜が立体的な感覚に写り出されて見栄えのよいものとすることができる。
【００３３】
また、例えば夏用の緑として多数の光ファイバ３７の先端が例えば緑色に発光し、緑を映し出すことができ、その結果、緑が立体的な感覚に写り出されて見栄えのよいものとすることができる。
【００３４】
さらに、例えば秋用の落ち葉として多数の光ファイバ３７の先端が例えばダイダイ色に発光し、落ち葉を映し出すことができ、その結果、落ち葉が立体的な感覚に写り出されて見栄えのよいものとすることができる。さらには、雛祭り、鯉のぼりなどといった装飾飾りを用意しておくとバラエティに富ませることができる。
【００３５】
このように、装飾部５の装飾飾り３９をフォシーズン用のものを各種用意しておき、フォシーズン毎に交換することでフォシーズンに合った装飾効果をもたせることができる。
【００３６】
ボックス３と装飾部５とが分離できるので、装飾部５だけで使用することも可能であり、ボックス３自体を例えば小物などの収納入れとして用いることも可能である。
【００３７】
装飾装置１は例えばカウンタバー、室内の装飾用として玄関、机などに置いて装飾効果を持たせることができる。さらに、ボックス３の表面に例えば広告用のポスタなどを貼り付けて使用することも可能である。
【００３８】
また、前記背面本体７の内面、左本体９における側面部９Ａの内面および右本体１１における側面部１１Ａの内面には、それぞれミラーが設けて、この各ミラーにより装飾効果に立体感を持たせることも可能である。
【００３９】
図６〜図９には図１〜図４に代わる他の実施の形態が示されている。図６〜図９において図１〜図４における部品と同じ部品には同一の符号を付して重複する説明を省略する。
【００４０】
図６〜図９において、前記背面本体７および左、右本体９、１１の内側にフオトスタンド６５が嵌め込み可能に設けられている。より詳細には図８および図９に示されているように、フオトスタンド６５は背面本体６７とこの背面本体６７の左右に９０°に折り曲げ可能に左、右本体６９、７１が一体化されている。前記背面本体６７の下部は前記飾り装置３１が前記背面本体７に着脱可能に設けるのに支障を来さないように切り欠き部７３が設けられている。
【００４１】
前記左、右本体６９、７１の内側には図６、図７に示されているように、写真７５、７７を顕出されるよう写真入れ用収納部としての例えば窓部７９、８１が設けられている。また、左、右本体６９、７１の外側には、図９に示されているように、写真７５、７７を押さえるための押さえ蓋８３、８５が着脱可能に設けられている。
【００４２】
上記構成により、前記フオトスタンド６５を前記背面本体７、左、右本体９、１１の内側に嵌め込むと図６、図７のようになり、また、飾り装置３１を背面体７の下部に取り付けると図７のようになる。なお、図６〜図８において、左、右本体９、１１の開閉は左、右本体９、１１の前部の内側に設けられたマグネット８７、８９によって行われる。
【００４３】
その結果、図６、図７のように飾り装置１として上述した例と同じ効果を有すると共にさらに、より一層見栄えのよい装飾効果を発揮することができる。
【００４４】
なお、この発明は前述した実施の形態に限定されることなく、適宜な変更を行うことによりその他の態様で実施し得るものである。上述した例では、左本体９と右本体１１との開閉装置としてファスナー１３を設けた例で説明したが、ファスナー１３の代わりにマグネットなどの開閉装置とすることでも対応可能である。背面体７の下部裏側と装飾装置３１のボックス３３の外側との着脱手段としてはマグネットの例で説明したが、マジックテープ（登録商標）などを使用しても構わない。さらに、電源としては電池４７だけでなく、ＡＣ電源を用いるべくＡＣコードを使用してコンセントに接続して使用することも可能である。
【図面の簡単な説明】
【００４５】
【図１】この発明の装飾装置の装飾用ボックスが開いた状態と装飾部とを示した斜視図である。
【図２】この発明の装飾装置の装飾用ボックスが開いた状態において装飾用ボックスに装飾部を取り付けた状態を示した斜視図である。
【図３】この発明の装飾装置の装飾用ボックスが閉じた状態の斜視図である。
【図４】装飾部におけるボックスの正面断面図てある。
【図５】この発明の別の装飾装置の装飾用ボックスが開いた状態において装飾用ボックスに装飾部を取り付けた状態を示した斜視図である。
【図６】この発明の他の装飾装置の装飾用ボックスが開いた状態と装飾部とを示した斜視図である。
【図７】この発明の他の装飾装置の装飾用ボックスが開いた状態において装飾用ボックスに装飾部を取り付けた状態を示した斜視図である。
【図８】装飾用ボックスとフオトスタンドとを示した斜視図である。
【図９】フオトスタンドの裏側状態を示した斜視図である。
【符号の説明】
【００４６】
１  装飾装置
３  装飾用ボックス
５  装飾部
７  背面本体
９  左本体
１１  右本体
１３  ファスナー
１５  左ファスナー片
１７  右ファスナー片
１９  スライダ
２１  帯状体
２３  ファスナーエレメント
２５  窓部（写真入れ収納部）
２７  写真
２９  押さえ蓋
３１  飾り装置
３３  ボックス
３５  パイプ
３７、６５  光ファイバ
３９  装飾飾り
４１  枠
４３  筒体
４５  基板
４７  電池（電源）
４９  ＬＥＤ回路（発光部）
５１  切換えスイッチ部
５３  スイッチ用ポール
５５  タッチ用スイッチ
５７  着脱手段
５９、６１  マグネット
６２  筒体
６５  フオトスタンド
６７  背面本体
６９  左本体
７１  右本体
７３  切り欠き部
７５、７７  写真
７９、８１  窓部（写真入れ収納部）
８３、８５  押さえ蓋
８７、８９  マグネット
【図１】
2006088432.tif 000003
【図２】
2006088432.tif 000004
【図３】
2006088432.tif 000005
【図４】
2006088432.tif 000006
【図５】
2006088432.tif 000007
【図６】
2006088432.tif 000008
【図７】
2006088432.tif 000009
【図８】
2006088432.tif 000010
【図９】
2006088432.tif 000011